(57)【要約】  本願は、上り伝送取り消し方法及び機器を提供する。前記方法において、上り伝送取り消し指令を受信した場合、基準時間領域の開始時刻である第１開始時刻を決定することと、前記第１開始時刻に基づいて、上り伝送が取り消しになる目標時間領域を決定することとを含む。
2021519021.tif 000002
【特許請求の範囲】
【請求項１】
端末機器に応用される上り伝送取り消し方法であって、
上り伝送取り消し指令を受信した場合、基準時間領域の開始時刻である第１開始時刻を決定することと、
前記第１開始時刻に基づいて、上り伝送が取り消しになる目標時間領域を決定することとを含む、上り伝送取り消し方法。
【請求項２】
前記の第１開始時刻を決定することは、
前記上り伝送取り消し指令の受信時刻と所定時間間隔に基づいて、前記第１開始時刻を決定することを含む、請求項１に記載の方法。
【請求項３】
前記上り伝送取り消し指令に含まれる前記所定時間間隔を指示するための情報に基づいて、前記所定時間間隔を決定する方式、前記所定時間間隔を設定するための上位層シグナリングに基づいて前記所定時間間隔を決定する方式、又は、第１所定値に基づいて前記所定時間間隔を決定する方式のうちの１つに基づいて、前記所定時間間隔を決定することを更に含む、請求項２に記載の方法。
【請求項４】
前記第１所定値は、所定の最小取り消し時間であり、
前記の第１所定値に基づいて前記所定時間間隔を決定することは、特に、
上りタイミングアドバンス値と前記最小取り消し時間に基づいて、前記所定時間間隔を決定することを含む、請求項３に記載の方法。
【請求項５】
前記の前記上り伝送取り消し指令の受信時刻と所定時間間隔に基づいて、前記第１開始時刻を決定することは、
前記上り伝送取り消し指令の受信時刻から前記所定時間間隔経過後の最初のスロット又は最初のシンボルを前記第１開始時刻に決定することを含む、請求項２に記載の方法。
【請求項６】
前記基準時間領域の合計長さを決定することを更に含み、
前記の前記第１開始時刻に基づいて、上り伝送が取り消しになる目標時間領域を決定することは、特に、
前記合計長さと前記第１開始時刻に基づいて、前記目標時間領域を決定することを含む、請求項１に記載の方法。
【請求項７】
前記の基準時間領域の合計長さを決定することは、
前記合計長さを設定するための上位層シグナリングに基づいて前記合計長さを決定する方式、前記上り伝送取り消し指令の検出周期に基づいて前記合計長さを決定する方式、又は、第２所定値に基づいて前記合計長さを決定する方式のうちの１つに基づいて前記合計長さを決定することを含む、請求項６に記載の方法。
【請求項８】
前記の前記合計長さと前記第１開始時刻に基づいて、前記目標時間領域を決定することは、
前記第１開始時刻から前記合計長さに亘る時間領域を前記目標時間領域に決定することを含む、請求項６又は７に記載の方法。
【請求項９】
前記上り伝送取り消し指令は、上り伝送が取り消しになる時間領域リソースを指示するための目標開始時刻情報を含み、
前記方法は、
前記第１開始時刻と前記目標開始時刻情報に基づいて、上り伝送が取り消しになる第２開始時刻を決定することを更に含み、
前記の前記合計長さと前記第１開始時刻に基づいて、前記目標時間領域を決定することは、
前記合計長さと前記第１開始時刻に基づいて、前記基準時間領域の終了時刻を決定することと、
前記第２開始時刻から前記終了時刻までの時間領域を前記目標時間領域に決定することとを含む、請求項６又は７に記載の方法。
【請求項１０】
前記上り伝送取り消し指令は、上り伝送が取り消しになる時間領域リソースを指示するための目標開始時刻情報及び目標長さ情報を含み、
前記方法は、
前記第１開始時刻と前記目標開始時刻情報に基づいて、上り伝送が取り消しになる第２開始時刻を決定することと、
前記目標長さ情報に基づいて、上り伝送が取り消しになる目標長さを決定することと、
前記第２開始時刻から前記目標長さだけ経過した時間領域を前記目標時間領域に決定することとを更に含む、請求項６又は７に記載の方法。
【請求項１１】
前記基準時間領域を区分するための上位層シグナリングに基づいて、前記基準時間領域を所定長さの複数のサブ領域に区分することを更に含み、
前記所定長さは、１つの時間シンボル以上であり、前記目標開始時刻情報は、上り伝送が取り消しになる時間領域リソースに含まれるサブ領域のうちの開始サブ領域を指示するものであり、前記目標長さ情報は、上り伝送が取り消しになる時間領域リソースに含まれるサブ領域の数を指示するものである、請求項９又は１０に記載の方法。
【請求項１２】
前記目標時間領域での上り伝送を一時停止し又は取り消すことを更に含む、請求項１〜１１のいずれか一項に記載の方法。
【請求項１３】
前記上り伝送取り消し指令に周波数領域指示情報が含まれる場合、前記周波数領域指示情報に基づいて、上り伝送が取り消しになる目標周波数領域リソースを決定することと、
前記目標時間領域及び前記目標周波数領域リソースに基づいて、上り伝送が取り消しになる目標時間周波数リソースを決定することとを更に含む、請求項１〜１１のいずれか一項に記載の方法。
【請求項１４】
前記周波数領域指示情報は、基準周波数領域の１つ又は複数の周波数帯サブセットを指示するものであり、
前記基準周波数領域は、上位層シグナリングを介してネットワーク機器が設定した周波数帯域幅であり、又は、前記基準周波数領域は、端末機器がプロトコルに基づいて決定した周波数帯域幅である、請求項１３に記載の方法。
【請求項１５】
前記基準周波数領域は、現在活性化されている上り帯域幅パートＢＷＰを含む、請求項１４に記載の方法。
【請求項１６】
前記周波数領域指示情報は、
前記基準周波数領域の単一の周波数帯サブセット、前記基準周波数領域の複数の連続した周波数帯サブセットのうちの、開始周波数帯サブセット及び前記複数の連続した周波数帯サブセットの数、又は、前記基準周波数領域の複数の不連続な周波数帯サブセットのうちの少なくとも１つを指示するものである、請求項１４又は１５に記載の方法。
【請求項１７】
前記上り伝送取り消し指令に前記周波数領域指示情報が含まれていない場合、基準周波数領域を、上り伝送が取り消しになる目標周波数領域リソースに決定することと、
前記目標時間領域及び前記目標周波数領域リソースに基づいて、上り伝送が取り消しになる目標時間周波数リソースを決定することとを更に含み、
前記基準周波数領域は、上位層シグナリングを介してネットワーク機器が設定した周波数帯域幅であり、又は、前記基準周波数領域は、端末機器がプロトコルに基づいて決定した周波数帯域幅である、請求項１〜１１のいずれか一項に記載の方法。
【請求項１８】
前記基準周波数領域は、現在活性化されている上り帯域幅パートＢＷＰを含む、請求項１７に記載の方法。
【請求項１９】
前記目標時間周波数リソースでの上り伝送を一時停止し又は取り消すことを更に含む、請求項１３〜１８のいずれか一項に記載の方法。
【請求項２０】
上り伝送取り消し指令を受信した場合、基準時間領域の開始時刻である第１開始時刻を決定するための第１決定モジュールと、
前記第１開始時刻に基づいて、上り伝送が取り消しになる目標時間領域を決定するための第２決定モジュールとを含む、端末機器。
【請求項２１】
メモリと、プロセッサと、前記メモリに格納されて前記プロセッサで動作可能な無線通信プログラムを含む端末機器であって、
前記無線通信プログラムが前記プロセッサによって実行されると、請求項１〜１９のいずれか一項に記載の方法のステップが実現される、端末機器。
【請求項２２】
無線通信プログラムが格納されているコンピュータ読み取り可能な媒体であって、
前記無線通信プログラムがプロセッサによって実行されると、請求項１〜１９のいずれか一項に記載の方法のステップが実現される、コンピュータ読み取り可能な媒体。
【発明の詳細な説明】
【技術分野】
【０００１】
本願は、２０１８年３月２６日に中国特許庁に提出された中国特許出願２０１８１０２５４０１０．６の優先権を主張し、その全ての内容が援用によりここに取り込まれる。
【０００２】
本願は、通信技術分野に係り、特に上り伝送取り消し（ｃａｎｃｅｌ）方法及び機器に係る。
【背景技術】
【０００３】
５Ｇ  ＮＲ（Ｎｅｗ  Ｒａｄｉｏ）のサービスシナリオは、ｅＭＢＢ（Ｅｎｈａｎｃｅ  Ｍｏｂｉｌｅ  Ｂｒｏａｄｂａｎｄ）及びＵＲＬＬＣ（Ｕｌｔｒａ−Ｒｅｌｉａｂｌｅ  Ｌｏｗ  ｌａｔｅｎｃｙ  Ｃｏｍｍｕｎｉｃａｔｉｏｎｓ  Ｌｉｎｋ）を含むことが多い。ｅＭＢＢサービスとＵＲＬＬＣサービスが伝送リソース（以下、単にリソースといい、時間領域リソースと周波数領域リソースの少なくとも一方を含む）を多重化する必要がある場合、通常、２つのモードが存在する。１つは、半静的なリソース割り当てであり、具体的には、ｅＭＢＢサービス伝送とＵＲＬＬＣサービス伝送とを異なるリソースに割り当てる。この場合、ＵＲＬＬＣサービスに一部リソースを保留することに相当する。ＵＲＬＬＣサービスの離散や不確実性により、ＵＲＬＬＣサービスにリソースを保留することは、リソースの無駄を招き、リソースの利用効率を低下させる。もう１つのモードは、ｅＭＢＢサービス伝送とＵＲＬＬＣサービス伝送が同一のリソースを共有し、ｅＭＢＢサービス伝送とＵＲＬＬＣサービス伝送をネットワーク機器が動的にスケジューリングすることで該リソースを多重化する動的多重化である。
【０００４】
ＵＲＬＬＣサービスは、超低遅延が要求されるため、ネットワーク機器は、ｅＭＢＢサービス伝送に割り当てられたリソースにＵＲＬＬＣサービス伝送をスケジューリングする可能性がある。また、ＵＲＬＬＣサービスは、超高信頼性が要求されるため、ｅＭＢＢサービスの伝送によるＵＲＬＬＣサービス伝送への影響や干渉を低減する必要がある。ネットワーク機器は、この目的のために、ｅＭＢＢサービスを伝送する端末機器に上り伝送ＵＬ（Ｕｐｌｉｎｋ）取り消し指示シグナリングＣＩ（Ｃａｎｃｅｌｌａｔｉｏｎ  Ｉｎｄｉｃａｔｉｏｎ）を送信することによって、端末装置が既に行っている上りｅＭＢＢサービスを取り消し又は中断することが多い。
【０００５】
従来技術において、端末機器は、ＣＩを受信した場合、上り伝送の取り消しが必要な具体的なリソースが明確化されておらず、それを決定することが必要とされている。
【発明の概要】
【発明が解決しようとする課題】
【０００６】
本願の実施例は、上り伝送の取り消しが必要な具体的なリソースを決定するために、上り伝送取り消し方法及び機器を提供する。
【課題を解決するための手段】
【０００７】
第１態様として、端末機器に応用される上り伝送取り消し方法を提供する。前記方法において、上り伝送取り消し指令を受信した場合、基準時間領域の開始時刻である第１開始時刻を決定することと、前記第１開始時刻に基づいて、上り伝送が取り消しになる目標時間領域を決定することとを含む。
【０００８】
第２態様として、端末機器を提供する。該端末機器は、上り伝送取り消し指令を受信した場合、基準時間領域の開始時刻である第１開始時刻を決定するための第１決定モジュールと、前記第１開始時刻に基づいて、上り伝送が取り消しになる目標時間領域を決定するための第２決定モジュールとを含む。
【０００９】
第３態様として、メモリと、プロセッサと、前記メモリに格納されて前記プロセッサで動作可能な無線通信プログラムを含む端末機器を提供し、前記無線通信プログラムが前記プロセッサによって実行されると、第１態様に記載の方法のステップが実現される。
【００１０】
第４態様として、無線通信プログラムが格納されているコンピュータ読み取り可能な媒体を提供し、前記無線通信プログラムがプロセッサによって実行されると、第１態様に記載の方法のステップが実現される。
【発明の効果】
【００１１】
本願の実施例において、上り伝送取り消し指令を受信した場合、基準時間領域の開始時刻を決定し、基準時間領域の開始時刻に基づいて目標時間領域を決定し、更に、目標時間領域での上り伝送を一時停止し又は取り消す。従って、端末機器は、上り伝送の取り消しが必要な具体的な時間領域リソースの明確化が可能になり、システムのリソーススケジューリング効率を向上させる。
【００１２】
本願の実施例や従来技術の技術手段をより明確に説明するために、以下、実施例や従来技術の記載に必要とされる図面を簡単に紹介する。明らかに、以下の記載に関する図面は、単に本願に記載の一部の実施例である。当業者にとって、創造性のある作業をしない前提で、これらの図面から他の図面を得ることもできる。
【図面の簡単な説明】
【００１３】
【図１】本願の実施例による上り伝送取り消し方法のフローチャートである。
【図２】本願の実施例による上り伝送取り消し方法の原理図である。
【図３】本願の実施例による上り伝送取り消し方法の別の原理図である。
【図４】本願の実施例による上り伝送取り消し方法の別の原理図である。
【図５】本願の実施例による上り伝送取り消し方法の別の原理図である。
【図６】本願の実施例による上り伝送取り消し方法の別の原理図である。
【図７】本願の実施例による上り伝送取り消し方法の別の原理図である。
【図８】本願の実施例による上り伝送取り消し方法の別の原理図である。
【図９】本願の実施例による上り伝送取り消し方法の別の原理図である。
【図１０】本願の実施例による上り伝送取り消し方法の別の原理図である。
【図１１】本願の実施例による上り伝送取り消し方法の別の原理図である。
【図１２】本願の実施例による上り伝送取り消し方法の別の原理図である。
【図１３】本願の実施例による上り伝送取り消し方法の別のフローチャートである。
【図１４】本願の実施例による上り伝送取り消し方法の原理図である。
【図１５】本願の実施例による上り伝送取り消し方法のまた別のフローチャートである。
【図１６】本願の実施例による端末機器６００の構造図である。
【図１７】本願の実施例による端末機器６００の別の構造図である。
【図１８】本願の実施例による端末機器６００のまた別の構造図である。
【図１９】本願の実施例による端末機器９００の構造図である。
【発明を実施するための形態】
【００１４】
本願の技術手段を当業者によりよく理解してもらうために、以下、本願の実施例の図面とともに、本願の実施例の技術手段を明確且つ完全的に記載する。明らかに、記載する実施例は、本願の実施例の一部であり、全てではない。本願の実施例に基づき、当業者が創造性のある作業をしなくても為しえる全ての他の実施例は、いずれも本願の保護範囲に属するものである。
【００１５】
本願の実施例の技術手段は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ  ＦＤＤ（Ｆｒｅｑｕｅｎｃｙ  Ｄｉｖｉｓｉｏｎ  Ｄｕｐｌｅｘ）システム、ＬＴＥ  ＴＤＤ（Ｔｉｍｅ  Ｄｉｖｉｓｉｏｎ  Ｄｕｐｌｅｘ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又はＮＲ（Ｎｅｗ  Ｒａｄｉｏ）システムなど、様々な通信システムに応用可能であると理解すべきである。
【００１６】
端末機器ＵＥ（Ｕｓｅｒ  Ｅｑｕｉｐｍｅｎｔ）は、移動端末（Ｍｏｂｉｌｅ  Ｔｅｒｍｉｎａｌ）、移動端末機器などと称されてもよく、ＲＡＮ（Ｒａｄｉｏ  Ａｃｃｅｓｓ  Ｎｅｔｗｏｒｋ）を介して１つ又は複数のコアネットワークと通信可能である。端末機器は、移動電話（又は「セルラー」電話と称される）などの移動端末や、携帯式、ポータブル式、ハンドヘルド式、コンピュータ内蔵式又は車載の移動装置などの移動端末を有するコンピュータであり、無線アクセスネットワークとは音声及び／又はデータのやり取りを行う。
【００１７】
ネットワーク機器は、無線アクセスネットワークに配置されて、上り伝送取り消し機能を端末機器に提供するために用いられる装置である。前記ネットワーク機器は、基地局であってもよい。前記基地局は、ＧＳＭ又はＣＤＭＡにおけるＢＴＳ（Ｂａｓｅ  Ｔｒａｎｓｃｅｉｖｅｒ  Ｓｔａｔｉｏｎ）であってもよく、ＷＣＤＭＡ（登録商標）における基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよい。
【００１８】
なお、具体的な実施例を記載する際に、各プロセスの番号の大きさは、実行順の前後を意味するのではなく、各プロセスの実行順は、その機能及び内在的な論理によって決められるものであり、本願の実施例の実施プロセスに対しいっさい限定を構成しないと理解すべきである。
【００１９】
以下、まず、図１〜１５とともに、端末機器に応用される上り伝送取り消し方法を説明する。
【００２０】
図１は、本願の１つの実施例による端末機器に応用される上り伝送取り消し方法を示す。図１に示すように、該方法は、以下のステップを含む。
【００２１】
ステップ１０１において、上り伝送取り消し指令ＵＬ  ＣＩ（Ｕｐｌｉｎｋ  Ｃａｎｃｅｌｌａｔｉｏｎ  Ｉｎｄｉｃａｔｉｏｎ）を受信した場合、基準時間領域の開始時刻である第１開始時刻を決定する。
【００２２】
基準時間領域（ｒｅｆｅｒｅｎｃｅ  ｔｉｍｅ  ｒｅｇｉｏｎ）は、上り伝送が取り消しになることを決定するために予め設定される基準時間領域リソースである。基準時間領域は、通常、第１開始時刻と合計長さによって決められるが、以下、具体的な実施例とともに、第１開始時刻及び合計長さを決定する方式を説明する。
【００２３】
ステップ１０１において、具体的には、上り伝送取り消し指令の受信時刻と所定時間間隔に基づいて、前記第１開始時刻を決定する。より具体的には、前記上り伝送取り消し指令の受信時刻から前記所定時間間隔経過後の最初のスロット又は最初のシンボルを前記第１開始時刻に決定する。
【００２４】
ＵＬ  ＣＩの受信時刻は、前記ＵＬ  ＣＩを担持した下り制御チャネル（ＰＤＣＣＨ）を受信するスロット（ｓｌｏｔ）であり、又は、ＵＬ  ＣＩの受信時刻は、前記ＵＬ  ＣＩを担持したＰＤＣＣＨをＵＥが受信する最後の時間シンボル（ｓｙｍｂｏｌ）であり、以下、単にシンボルという。
【００２５】
ここで、所定時間間隔は、前記上り伝送取り消し指令に含まれる前記所定時間間隔を指示するための情報に基づいて、前記所定時間間隔を決定する方式１、前記所定時間間隔を設定するための上位層シグナリング（例えば無線リソース制御ＲＲＣ（Ｒａｄｉｏ  Ｒｅｓｏｕｒｃｅ  Ｃｏｎｔｒｏｌ））に基づいて前記所定時間間隔を決定する方式２、又は、第１所定値に基づいて前記所定時間間隔を決定する方式３などの方式のうちの１つに基づいて決定される。
【００２６】
方式１の場合、ＵＥは、ＵＬ  ＣＩにおいて指示される遅延（ｏｆｆｓｅｔ）に基づいて、上記所定時間間隔を決定する。該遅延は、ＵＬ  ＣＩの受信時刻に対する時間の長さＫ３に等しい。Ｋ３の単位は、スロット（ｓｌｏｔ）又はシンボル（ｓｙｍｂｏｌ）である。Ｋ３の具体的な長さは、サブキャリア間隔ＳＣＳ（ｓｕｂｃａｒｒｉｅｒ  ｓｐａｃｉｎｇ）に関連する。ＲＲＣを介してネットワーク機器によってＵＥにＫ３セットを設定しておき、ＵＬ  ＣＩにおいてＫ３の実際の値を指示する。
【００２７】
選択可能に、ＵＬ  ＣＩがＵＥ群に送信される場合、ＵＬ  ＣＩにおいて指示されるＫ３の長さは、該ＵＬ  ＣＩを受信したＵＥの各々に十分な取り消し時間（ｃａｎｃｅｌｌａｔｉｏｎ  ｔｉｍｅ）を持たせることを保証する必要がある。該取り消し時間は、ＵＥが上り伝送を取り消すための処理時間と理解できる。
【００２８】
また、方式１の場合、ＵＬ  ＣＩの受信時刻からＫ３だけ経過した最初のスロットの境界（ｂｏｕｎｄａｒｙ）又は最初のシンボルを上記第１開始時刻に決定する。
【００２９】
具体的には、所定のＳＣＳの下で、第１開始時刻は、ＵＬ  ＣＩの受信時刻からＫ３スロット又はシンボルだけ経過した最初のスロットの境界（ｂｏｕｎｄａｒｙ）である。
【００３０】
例えば、ＵＬ  ＣＩによってＫ３＝１スロットを指示し、基準時間領域の合計長さがＸスロットであり、ＵＥがスロットｎでＵＬ  ＣＩを受信する場合、ＵＥは、スロットｎ＋１の終了時刻を第１開始時刻とし、それに対応して、スロットｎ＋１の後に開始するＸスロットを基準時間領域に決定する。
【００３１】
また、例えば、ＵＬ  ＣＩによってＫ３＝７シンボルを指示し、基準時間領域の合計長さがＸスロットであり、ＵＥがスロットｎのシンボルｉ（ｉは、スロット内のシンボル番号であり、ｉ＜７、ｉ＝０〜１３）でＵＬ  ＣＩを受信する場合、ＵＥは、スロットｎ＋１の終了時刻を第１開始時刻とし、それに対応して、スロットｎ＋１の後に開始するＸスロットを基準時間領域に決定する。
【００３２】
また、例えば、ＵＬ  ＣＩによってＫ３＝１４シンボルを指示し、基準時間領域の合計長さがＸスロットであり、ＵＥがスロットｎのシンボルｉ（ｉ＝０〜１３）でＵＬ  ＣＩを受信する場合、ＵＥは、スロットｎ＋２の終了時刻を第１開始時刻とし、それに対応して、スロットｎ＋２の後に開始するＸスロットを基準時間領域に決定する。
【００３３】
又は、所定のＳＣＳの下で、第１開始時刻は、ＵＬ  ＣＩの受信時刻からＫ３スロット又はシンボルだけ経過した最初のシンボルである。
【００３４】
例えば、ＵＬ  ＣＩによってＫ３＝７シンボルを指示し、基準時間領域の合計長さがＸスロットであり、ＵＥがスロットｎのシンボルｉ（ｉ＜７、ｉ＝０〜１３）でＵＬ  ＣＩを受信する場合、ＵＥは、スロットｎのシンボルｉから更に７シンボル後の最初のシンボルを第１開始時刻に決定し、それに対応して、スロットｎのシンボルｉから更に７シンボルの後に開始するＸスロットを基準時間領域に決定する。
【００３５】
また、例えば、ＵＬ  ＣＩによってＫ３＝１４シンボルを指示し、基準時間領域の合計長さがＸスロットであり、ＵＥがスロットｎのシンボルｉ（ｉ＝０〜１３）でＵＬ  ＣＩを受信する場合、ＵＥは、スロットｎ＋１のシンボルｉの後の最初のシンボルを第１開始時刻に決定し、それに対応して、スロットｎ＋１のシンボルｉの後に開始するＸスロットを基準時間領域に決定する。
【００３６】
また、例えば、ＵＬ  ＣＩによってＫ３＝１４シンボルを指示し、基準時間領域の合計長さがＹシンボルであり、ＵＥがスロットｎのシンボルｉ（ｉ＝０〜１３）でＵＬ  ＣＩを受信する場合、ＵＥは、スロットｎ＋１のシンボルｉの後の最初のシンボルを第１開始時刻に決定し、それに対応して、スロットｎ＋１のシンボルｉの後に開始するＹシンボルを基準時間領域に決定する。
【００３７】
方式２の場合、ＵＥは、上位層シグナリング（例えば、ＲＲＣ）によって設定された基準遅延（ｒｅｆｅｒｅｎｃｅ  ｏｆｆｓｅｔ）に基づいて上記所定時間間隔を決定する。該基準遅延は、ＵＬ  ＣＩの受信時刻に対する時間の長さである。基準遅延の単位は、スロット（ｓｌｏｔ）又はシンボル（ｓｙｍｂｏｌ）である。基準遅延の具体的な長さは、サブキャリア間隔ＳＣＳ（ｓｕｂｃａｒｒｉｅｒ  ｓｐａｃｉｎｇ）に関連する。
【００３８】
選択可能に、ＵＬ  ＣＩがＵＥ群に送信される場合、上位層シグナリング（例えば、ＲＲＣ）によって設定された基準遅延の長さは、該ＵＬ  ＣＩを受信したＵＥの各々に十分な取り消し時間を持たせることを保証する必要がある。該取り消し時間は、上り伝送を取り消すための処理時間と理解できる。
【００３９】
更に、ネットワーク機器は、処理能力が同じであるＵＥ群にＵＬ  ＣＩを送信することを選択し、例えば、最小取り消し時間の長さが同じであり、上りタイミングアドバンスＴＡ（ｔｉｍｉｎｇ  ａｄｖａｎｃｅ）値が同じであるＵＥ群に送信する。これによって、上位層シグナリングは、該群における各々のＵＥに対し、同じ基準遅延を設定することができる。これは、ネットワーク機器にとって、より簡単に実行できる。ネットワーク機器は、処理能力の異なるＵＥ群（例えばＴＡの異なるＵＥ群）にＵＬ  ＣＩを送信すると、該群における各々のＵＥに対し基準遅延を設定する際に、該ＵＥ群における最大ＴＡ値のＵＥでも十分な取り消し時間を持つことを考慮する必要がある。
【００４０】
以下、ＴＡについて簡単に紹介する。セル内では、異なるＵＥが位置する場所が異なる可能性があるため、基地局からの距離もそれぞれ異なる可能性がある。従って、基地局とＵＥとの間の信号は、異なる伝送遅延を経る。異なるＵＥからの上り信号を基地局が受信する際にタイミングが一致に維持されることを保証するために、ＵＥは、上り信号を送信する際に、下りタイミングに基づいてオフセットを加える必要がある。該オフセット値は、ＴＡ値であり、通常、基地局によって設定される。基地局は、ＴＡを介して、異なるＵＥの上り伝送アドバンス量を制御することができる。基地局に近いＵＥの場合、伝送遅延が小さく、ＴＡを小さく設定する。基地局から遠いＵＥの場合、大きい伝送遅延を経るため、大きなＴＡを設定する必要がある。
【００４１】
方式２の場合、ＵＬ  ＣＩの受信時刻から基準遅延経過後の最初のスロットの境界又は最初のシンボルを、上記第１開始時刻に決定する。
【００４２】
具体的には、所定のＳＣＳの下で、ＵＬ  ＣＩの受信時刻から基準遅延経過後の最初のスロットの境界を、上記第１開始時刻に決定する。
【００４３】
例えば、ＲＲＣによって設定される基準遅延が１スロットであり、基準時間領域の合計長さがＸスロットであり、ＵＥがスロットｎでＵＬ  ＣＩを受信する場合、ＵＥは、スロットｎ＋１の終了時刻を第１開始時刻とし、それに対応して、スロットｎ＋１の後に開始するＸスロットを基準時間領域に決定する。
【００４４】
また、例えば、ＲＲＣによって設定される基準遅延が７シンボルであり、基準時間領域の合計長さがＸスロットであり、ＵＥがスロットｎのシンボルｉ（ｉ＜７、ｉ＝０〜１３）でＵＬ  ＣＩを受信する場合、ＵＥは、スロットｎ＋１の終了時刻を第１開始時刻とし、それに対応して、スロットｎ＋１の後に開始するＸスロットを基準時間領域に決定する。
【００４５】
また、例えば、ＲＲＣによって設定される基準遅延が１４シンボルであり、基準時間領域の合計長さがＸスロットであり、ＵＥがスロットｎのシンボルｉ（ｉ＝０〜１３）でＵＬ  ＣＩを受信する場合、ＵＥは、スロットｎ＋２の終了時刻を第１開始時刻とし、それに対応して、スロットｎ＋２の後に開始するＸスロットを基準時間領域に決定する。
【００４６】
又は、所定のＳＣＳの下で、第１開始時刻は、ＵＬ  ＣＩの受信時刻から基準遅延経過後の最初のシンボルである。
【００４７】
例えば、ＲＲＣによって設定される基準遅延が７シンボルであり、基準時間領域の合計長さをＸスロットであり、ＵＥがスロットｎのシンボルｉ（ｉ＜７、ｉ＝０〜１３）でＵＬ  ＣＩを受信する場合、ＵＥは、スロットｎのシンボルｉから更に７シンボル後の最初のシンボルを第１開始時刻に決定し、それに対応して、スロットｎのシンボルｉから更に７シンボル後に開始するＸスロットを基準時間領域に決定する。
【００４８】
また、例えば、ＲＲＣによって設定される基準遅延が１４シンボルであり、基準時間領域の合計長さがＸスロットであり、ＵＥがスロットｎのシンボルｉ（ｉ＝０〜１３）でＵＬ  ＣＩを受信する場合、ＵＥは、スロットｎ＋１のシンボルｉの後の最初のシンボルを第１開始時刻に決定し、それに対応して、スロットｎ＋１のシンボルｉの後に開始するＸスロットを基準時間領域に決定する。
【００４９】
また、例えば、ＲＲＣによって設定される基準遅延が１４シンボルであり、基準時間領域の合計長さをＹシンボルであり、ＵＥがスロットｎのシンボルｉ（ｉ＝０〜１３）でＵＬ  ＣＩを受信する場合、ＵＥは、スロットｎ＋１のシンボルｉの後の最初のシンボルを第１開始時刻に決定し、それに対応して、スロットｎ＋１のシンボルｉの後に開始するＹシンボルを基準時間領域に決定する。
【００５０】
方式３の場合、ＵＥは、設定された最小取り消し時間（ｍｉｎｉｍｕｍ  ｃａｎｃｅｌｌａｔｉｏｎ  ｔｉｍｅ）に基づいて、上記所定時間間隔を決定する。すなわち、第１所定値は、最小取り消し時間であってもよい。最小取り消し時間は、ＵＥが上り伝送を取り消すことができるのに必要な最短処理時間であると理解し、そのサイズは、ＵＥの能力及びＳＣＳに関連する。一般的に、ＵＥの能力が強いほど、最小取り消し時間が短くなり、逆に、最小取り消し時間が長くなる。最小取り消し時間の単位は、スロット又はシンボルである。
【００５１】
最小取り消し時間は、プロトコルによって予め定められてもよいし、ネットワーク機器がＵＥに設定してもよい。一般的に、最小取り消し時間にはＴＡが含まれない。
【００５２】
第１所定値が最小取り消し時間である場合、方式３は、具体的には、上りタイミングアドバンス値と前記最小取り消し時間に基づいて、前記所定時間間隔を決定する。より具体的には、上りタイミングアドバンス値と前記最小取り消し時間との和（ｍｉｎｉｍｕｍ  ｃａｎｃｅｌｌａｔｉｏｎ  ｔｉｍｅ＋ＴＡ）を、上記所定時間間隔に決定する。また、ＵＬ  ＣＩの受信時刻から最小取り消し時間＋ＴＡ経過後の最初のスロットの境界又は最初のシンボルを上記第１開始時刻に決定する。
【００５３】
上記の所定時間間隔を決定する方式３の場合、ＴＡ値は、ＵＥ固有のＴＡ値（ＵＥ−ｓｐｅｃｉｆｉｃ  ＴＡ）である。ＴＡ値は、ＵＥが位置するユーザ群（ＵＥ  ｇｒｏｕｐ）内の全てのＵＥのＴＡ値のうちの最大値であってもよく、且つ該最大値は、ＲＲＣの設定から得られる。ＴＡ値は、設定可能な最大ＴＡ値など、設定された基準ＴＡ（ｒｅｆｅｒｅｎｃｅ  ＴＡ）値であってもよい。
【００５４】
具体的には、所定のＳＣＳの下で、ＵＬ  ＣＩの受信時刻から最小取り消し時間＋ＴＡ経過後の最初のスロットの境界を上記第１開始時刻に決定する。
【００５５】
例えば、最小取り消し時間が１０シンボルに等しく、基準時間領域の合計長さがＸスロットであり、ＴＡが４シンボルであり、最小取り消し時間＋ＴＡ＝１４シンボルであり、ＵＥがスロットｎのシンボルｉ＝７（ｉ＝７〜１３）でＵＬ  ＣＩを受信する場合、ＵＥは、スロットｎ＋２の終了時刻を第１開始時刻とし、それに対応して、スロットｎ＋２の後に開始するＸスロットを基準時間領域に決定する。
【００５６】
又は、所定のＳＣＳの下で、ＵＬ  ＣＩの受信時刻から最小取り消し時間＋ＴＡ経過後の最初のシンボルを上記第１開始時刻に決定する。
【００５７】
例えば、最小取り消し時間が１０シンボルに等しく、基準時間領域の合計長さがＸスロットであり、ＴＡが４シンボルであり、最小取り消し時間＋ＴＡ＝１４シンボルであり、ＵＥがスロットｎのシンボルｉ（ｉ＝０〜１３）でＵＬ  ＣＩを受信する場合、ＵＥは、スロットｎ＋ｍのシンボルｊの後の最初のシンボルを第１開始時刻とし、それに対応して、スロットｎ＋ｍのシンボルｊの後に開始するＸスロットを基準時間領域に決定する。ここで、ｍ＝ｆｌｏｏｒ（（ｉ＋最小取り消し時間＋ＴＡ）／１４）、ｊ＝ｍｏｄ（ｉ＋最小取り消し時間＋ＴＡ，１４）。関数ｆｌｏｏｒ（）は、切り捨てを示し、関数ｍｏｄ（）は、余りを求める。
【００５８】
又は、所定のＳＣＳの下で、ＴＡが具体的にｇｒｏｕｐ−ｓｐｅｃｉｆｉｃ  ＴＡ（ＵＥ群固有ＴＡ）である場合、ＵＬ  ＣＩの受信時刻から最小取り消し時間＋ＵＥ群固有ＴＡ経過後の最初のスロットの境界又は最初のシンボルを上記第１開始時刻に決定する。
【００５９】
具体的には、複数のＵＥが同一のＵＬ  ＣＩを検出するように設定される場合、ＴＡは、ネットワーク機器によって設定されるＵＥ群固有ＴＡであり、且つ該ＵＥ群固有ＴＡは、同一ＵＥ群内の全てのＵＥに十分な取り消し時間（ｃａｎｃｅｌｌａｔｉｏｎ  ｔｉｍｅ）を持たせることができる。例えば、ＵＥ群固有ＴＡは、該ＵＥ群内の全てのＵＥのＴＡ値のうちの最大値である。
【００６０】
又は、所定のＳＣＳの下で、ＴＡが具体的に基準ＴＡ（ｒｅｆｅｒｅｎｃｅ  ＴＡ）である場合、ＵＬ  ＣＩの受信時刻から最小取り消し時間＋基準ＴＡ経過後の最初のスロットの境界又は最初のシンボルを上記第１開始時刻に決定する。
【００６１】
具体的には、複数のＵＥが同一のＵＬ  ＣＩを検出するように設定される場合、ＴＡは、ネットワーク機器によって設定される基準ＴＡであり、且つ該基準ＴＡは、同一のＵＥ群内の全てのＵＥに十分な取り消し時間（ｃａｎｃｅｌｌａｔｉｏｎ  ｔｉｍｅ）を持たせることができる。例えば、基準ＴＡは、設定可能なＴＡ値のうちの最大値である。
【００６２】
ステップ１０２において、前記第１開始時刻に基づいて、上り伝送が取り消しになる目標時間領域を決定する。
【００６３】
目標時間領域は、上り伝送を取り消にする時間領域と理解できる。目標時間領域は、通常、ステップ１０１に記載の基準時間領域内にある。
【００６４】
選択可能に、ステップ１０２で目標時間領域を決定した後に、本開示の実施例による上り伝送取り消し方法は、前記目標時間領域での上り伝送を一時停止し又は取り消すことを更に含む。もちろん、実際の応用において、ＵＬ  ＣＩの受信時刻と目標時間領域との間に十分な取り消し時間（ｃａｎｃｅｌｌａｔｉｏｎ  ｔｉｍｅ）がなければ、ＵＥは、該ＵＬ  ＣＩを無視できる。通常の場合、取り消し時間＝最小取り消し時間＋ＴＡである。ＴＡは、現在、ネットワークによってＵＥに指示又は設定したＴＡである。
【００６５】
以下、ステップ１０２の可能な複数の具体的な実施形態を説明する。
【００６６】
実施形態１の場合、ステップ１０２の前に、本開示の実施例による上り伝送取り消し方法は、前記基準時間領域の合計長さを決定することを更に含む。それに対応して、上記ステップ１０２において、具体的には、前記合計長さと前記第１開始時刻に基づいて前記目標時間領域を決定することを含む。
【００６７】
例えば、基準時間領域の合計長さは、以下方式のうちの１つに基づいて決定される。
前記合計長さを設定するための上位層シグナリング（例えばＲＲＣ）に基づいて前記合計長さを決定する。合計長さＬの単位は、スロット又はシンボルである。Ｌの値は、上りＵＬ（Ｕｐｌｉｎｋ）帯域幅パートＢＷＰ（ｂａｎｄｗｉｄｔｈ  ｐａｒｔ）の数値設定（ｎｕｍｅｒｏｌｏｇｙ）に関連する。合計長さＬの単位がスロットであると、Ｌの値は、１、２、４、５などである。合計長さＬの単位がシンボルであると、Ｌの値は、７、１４、２８シンボルなどである。
又は、前記上り伝送取り消し指令の検出周期（ｍｏｎｉｔｏｒｉｎｇ  ｐｅｒｉｏｄｉｃｉｔｙ）に基づいて前記合計長さを決定する。ＵＬ  ＣＩの検出周期がＸスロット又はＹシンボルであると、基準時間領域の合計長さは、Ｘスロット又はＹシンボルである。ＵＬ  ＣＩの検出周期の値は、７シンボル、１スロット、２スロットなどである。
又は、第２所定値に基づいて前記合計長さを決定する。即ち、基準時間領域の長さは、固定値であり、例えば１スロットである。
【００６８】
より具体的には、ステップ１０２において、前記第１開始時刻から前記合計長さに亘る時間領域を前記目標時間領域に決定する。すなわち、前記基準時間領域を前記目標時間領域に決定する。
【００６９】
例えば、基準時間領域の開始時刻（第１開始時刻）及び合計長さが既知であり、且つ上り伝送が取り消しになる目標開始時刻情報及び目標長さ情報がＵＬ  ＣＩに含まれず、すなわち、ＵＬ  ＣＩが基準時間領域内のｃａｎｃｅｌｌｅｄ  ｓｌｏｔ／ｓｙｍｂｏｌ（ｓ）を指示しない場合、ＵＥは、基準時間領域を上り伝送が取り消しになる目標時間領域に決定し、目標時間領域内の上り伝送を取り消す。
【００７０】
具体的には、図２に示すように、ＵＥがＵＬ  ＣＩの指示に従ってＫ３＝１個のスロットを決定し、基準時間領域の合計長さが１スロットであり、ＵＥがスロットｎでＵＬ  ＣＩ（図２の１２）を受信する場合、ＵＥは、第１開始時刻ｔ１がスロットｎからＫ３経過後の最初のスロットの開始時刻（境界）であり、基準時間領域がスロットｎ＋１（図２の２１）であると決定する。ＵＥは、基準時間領域２１（スロットｎ＋１）での上りｅＭＢＢサービス伝送を取り消す。
【００７１】
具体的な実現において、ネットワーク機器は、ＲＲＣシグナリングを介して、下記の表１に示すＫ３セットをＵＥに予め設定（ｃｏｎｆｉｇｕｒｅｄ）する。ＵＬ  ＣＩは、該表内の番号（ｉｎｄｅｘ）を指示する。ＵＥは、表１から番号で問い合わせることによって、具体的なＫ３値を決定することができる。なお、ネットワーク機器がＵＬ  ＣＩでＫ３を指示する場合、ＵＥの能力を考慮する必要がある。
【００７２】
【表１】
2021519021.tif 000003
【００７３】
なお、本明細書の図面において、Ｋ２ｅＭＢＢは、ｅＭＢＢサービス伝送が占有する時間領域リソースを示し、参照符号１は、下りＤＬ（Ｄｏｗｎｌｉｎｋ）を示し、参照符号２は、上りＵＬ（Ｕｐｌｉｎｋ）を示し、参照符号１１は、ｅＭＢＢ伝送をスケジューリングするための上りスケジューリングシグナリング（ＵＬ  ｇｒａｎｔ  ｆｏｒ  ｅＭＢＢ）を示し、参照符号１２は、ＵＬ  ＣＩを示し、参照符号２１は、基準時間領域を示し、参照符号２２で示されるブロックの塗りつぶしパターンは、ｅＭＢＢサービス伝送を示し、参照符号２３で示されるブロックの塗りつぶしパターンは、上り伝送が取り消しになるｅＭＢＢサービスを示し、参照符号２４で示されるブロックの塗りつぶしパターンは、ＵＲＬＬＣサービス伝送を示し、参照符号２５は、１つのシンボルを示す。説明の簡素化のために、以下、対応する参照符号を直接引用し、その意味を繰り返して記載しない。
【００７４】
例えば図３に示すように、ＵＥがＵＬ  ＣＩの指示に従ってＫ３＝１４シンボルを決定し、基準時間領域の合計長さがＹシンボルであり、ＵＥがスロットｎのシンボルｉ（ｉ＝０〜１３）でＵＬ  ＣＩ（図３の１２）を受信する場合、ＵＥは、第１開始時刻ｔ１がスロットｎからＫ３経過後の最初のシンボルであり、基準時間領域がスロットｎ＋１のシンボルｉから開始するＹシンボル（図３の２１）であると決定する。ＵＥは、基準時間領域２１での上りｅＭＢＢサービス伝送を取り消す（図３の塗りつぶしパターンは、参照符号２３で指す部分である）。
【００７５】
具体的な実現において、ネットワーク機器は、ＲＲＣシグナリングを介して、下記の表２に示すＫ３セットをＵＥに予め設定（ｃｏｎｆｉｇｕｒｅｄ）する。ＵＬ  ＣＩは、該表内の番号（ｉｎｄｅｘ）を指示する。ＵＥは、表２から番号で問い合わせることによって、具体的なＫ３値を決定することができる。なお、ネットワーク機器がＵＬ  ＣＩでＫ３を指示する場合、ＵＥの能力を考慮する必要がある。
【００７６】
【表２】
2021519021.tif 000004
【００７７】
実施形態２において、ステップ１０２に先立って、本開示の実施例による上り伝送取り消し方法は、前記基準時間領域の合計長さを決定することを更に含む。それに対応して、上記ステップ１０２は、具体的には、前記合計長さと前記第１開始時刻に基づいて前記目標時間領域を決定することを含む。しかも、ＵＬ  ＣＩは、上り伝送が取り消しになる時間領域リソースを指示するための目標開始時刻情報を含む。すると、本開示の実施例による上り伝送取り消し方法は、前記第１開始時刻と前記目標開始時刻情報に基づいて、上り伝送が取り消しになる第２開始時刻を決定することを更に含む。第２開始時刻は、第１開始時刻に対するものである。通常、第２開始時刻は、上記第１開始時刻と同じであるか、それより遅い。
【００７８】
それに対応して、上記の前記合計長さと前記第１開始時刻に基づいて、前記目標時間領域を決定することは、具体的には、前記合計長さと前記第１開始時刻に基づいて、前記基準時間領域の終了時刻を決定することと、前記第２開始時刻から前記終了時刻までの時間領域を前記目標時間領域に決定することとを含む。
【００７９】
例えば、基準時間領域の開始時刻（第１開始時刻）及び合計長さが既知であると仮定し、ＵＬ  ＣＩが上り伝送が取り消しになる目標開始時刻情報（第２開始時刻）を更に指示し、即ち、ＵＬ  ＣＩが基準時間領域内のｃａｎｃｅｌｌｅｄ  ｓｌｏｔ／ｓｙｍｂｏｌ（ｓ）を指示する場合、ＵＥは、第２開始時刻から基準時間領域の終了時刻までの時間領域を目標時間領域に決定し、目標時間領域での上り伝送を取り消す。
【００８０】
具体的には、ＵＬ  ＣＩは、ビットフィールド（Ｂｉｔ−ｆｉｅｌｄ）で第２開始時刻（ｓｔａｒｔｉｎｇ  ｓｙｍｂｏｌ）を指示し、該ビットフィールドのサイズ（Ｂｉｔ−ｆｉｅｌｄ  ｓｉｚｅ）は、Ｂｉｔ−ｆｉｅｌｄ  ｓｉｚｅ＝ｃｅｉｌ（ｌｏｇ２（Ｎｓｙｍｂｏｌ＊Ｘ／Ｎｂｕｎｄｌｅ＿ｓｉｚｅ））である。ここで、ｃｅｉｌ（）は、括弧内の数値以上の最小の整数を返すこと（切り上げ）を示し、Ｘは、基準時間領域の総スロット数を示し、Ｎｓｙｍｂｏｌは、１スロット内のシンボル数を示し、Ｎｂｕｎｄｌｅ＿ｓｉｚｅは、サブ領域のサイズ（又はシンボルの組み合わせのサイズ（ｓｙｍｂｏｌ  ｂｕｎｄｌｅ  ｓｉｚｅ））を示し、サブ領域のシンボル数とも呼ぶ。Ｎｂｕｎｄｌｅ＿ｓｉｚｅは、サブ領域の粒度と理解する。以下、サブ領域（又はシンボルの組み合わせ）について個別に説明するが、ここでは説明しない。
【００８１】
図４に示すように、ＵＥがＵＬ  ＣＩの指示に従ってＫ３＝１スロットを決定し、基準時間領域の合計長さが１スロット（Ｘ＝１）であり、ＵＥがスロットｎでＵＬ  ＣＩ（図４の１２）を受信する場合、ＵＥは、第１開始時刻ｔ１がスロットｎからＫ３経過後の最初のスロットの境界であり、基準時間領域がスロットｎ＋１（図４の２１）であると決定する。また、ＵＬ  ＣＩは、更に第２開始時刻ｔ２が第１開始時刻ｔ１の後の５番目のシンボル（ｓｔａｒｔｉｎｇ  ｓｙｍｂｏｌが５である）であると指示し、ＵＬ  ＣＩにおいてｔ１を指示するためのビットフィールドのサイズは、Ｂｉｔ−ｆｉｅｌｄ  ｓｉｚｅ＝ｃｅｉｌ（ｌｏｇ２（Ｎｓｙｍｂｏｌ））であり、サブ領域の粒度が１シンボルである。すると、ＵＥは、スロットｎ＋１のシンボル５〜シンボル１３の時間領域を目標時間領域に決定し、スロットｎ＋１のシンボル５〜シンボル１３の時間領域での上りｅＭＢＢサービス伝送（図４における塗りつぶしパターンは、参照符号２３で指す部分である）を取り消す。
【００８２】
また、図５に示すように、ＵＥがＵＬ  ＣＩの指示に従ってＫ３＝１スロットを決定し、基準時間領域の合計長さが１スロット（Ｘ＝１）であり、ＵＥがスロットｎでＵＬ  ＣＩ（図５の１２）を受信する場合、ＵＥは、第１開始時刻ｔ１がスロットｎからＫ３経過後の最初のスロットの境界であり、基準時間領域がスロットｎ＋１（図５の２１）であると決定する。また、ＵＬ  ＣＩは、更に第２開始時刻ｔ２が第１開始時刻ｔ１の後の４番目のシンボル（ｓｔａｒｔｉｎｇ  ｓｙｍｂｏｌが４である）であると指示し、ＵＬ  ＣＩにおいてｔ１を指示するためのビットフィールドのサイズは、Ｂｉｔ−ｆｉｅｌｄ  ｓｉｚｅ＝ｃｅｉｌ（ｌｏｇ２（Ｎｓｙｍｂｏｌ／２））であり、サブ領域の粒度が２シンボルである。すると、ＵＥは、スロットｎ＋１のシンボル４〜シンボル１３の時間領域を目標時間領域に決定し、スロットｎ＋１のシンボル４〜シンボル１３の時間領域での上りｅＭＢＢサービス伝送（図５における塗りつぶしパターンは、２３のである）を取り消す。
【００８３】
また、図６に示すように、ＵＥが最小取り消し時間（ｔｍｉｎ＝１０シンボル）とＴＡ（２シンボル）に基づいて、所定時間間隔が１２シンボルであると決定し、基準時間領域の合計長さが１スロット（Ｘ＝１）であり、ＵＥがスロットｎの最初のシンボルでＵＬ  ＣＩ（図６の１２）を受信する場合、ＵＥは、第１開始時刻ｔ１がスロットｎの最初のシンボルから１２シンボル経過後の最初のスロットの境界であり、基準時間領域がスロットｎ＋１（図６の２１）であると決定する。また、ＵＬ  ＣＩは、更に第２開始時刻ｔ２が第１開始時刻ｔ１の後の４番目のシンボル（ｓｔａｒｔｉｎｇ  ｓｙｍｂｏｌが４である）であると指示し、ＵＬ  ＣＩにおいてｔ１を指示するためのビットフィールドのサイズは、Ｂｉｔ−ｆｉｅｌｄ  ｓｉｚｅ＝ｃｅｉｌ（ｌｏｇ２（Ｎｓｙｍｂｏｌ／２））であり、サブ領域の粒度が２シンボルである。すると、ＵＥは、スロットｎ＋１のシンボル４〜シンボル１３の時間領域を目標時間領域に決定し、スロットｎ＋１のシンボル４〜シンボル１３の時間領域での上りｅＭＢＢサービス伝送（図６における塗りつぶしパターンは、参照符号２３で指す部分である）を取り消す。
【００８４】
また、図７に示すように、ＵＥが最小取り消し時間（ｔｍｉｎ＝１０シンボル）とＴＡ（２シンボル）に基づいて、所定時間間隔が１２シンボルであると決定し、基準時間領域の合計長さがＹシンボルであり、ＵＥがスロットｎの最初のシンボルでＵＬ  ＣＩ（図７の１２）を受信する場合、ＵＥは、第１開始時刻ｔ１がスロットｎの最初のシンボルから１２シンボル経過後の最初のシンボルであり、基準時間領域が第１開始時刻ｔ１から開始するＹシンボル（図７の２１）であると決定する。また、ＵＬ  ＣＩは、更に第２開始時刻ｔ２が第１開始時刻ｔ１の後の５番目のシンボル（ｓｔａｒｔｉｎｇ  ｓｙｍｂｏｌが５である）であると指示し、ＵＬ  ＣＩにおいてｔ１を指示するためのビットフィールドのサイズは、Ｂｉｔ−ｆｉｅｌｄ  ｓｉｚｅ＝ｃｅｉｌ（ｌｏｇ２（Ｙ／２））であり、サブ領域の粒度が２シンボルである。すると、ＵＥは、第１開始時刻ｔ１の後の５番目のシンボルから、第１開始時刻ｔ１の後のＹ番目のシンボルまでの時間領域を目標時間領域に決定し、目標時間領域での上りｅＭＢＢサービス伝送（図７における塗りつぶしパターンは、参照符号２３で指す部分である）を取り消す。
【００８５】
実施形態３において、ステップ１０２に先立って、本開示の実施例による上り伝送取り消し方法は、前記基準時間領域の合計長さを決定することを更に含む。それに対応して、上記ステップ１０２は、具体的には、前記合計長さと前記第１開始時刻に基づいて前記目標時間領域を決定することを含む。しかも、ＵＬ  ＣＩは、上り伝送が取り消しになる時間領域リソースを指示するための目標開始時刻情報及び目標長さ情報（ｃａｎｃｅｌｌｅｄ  ｓｌｏｔ／ｓｙｍｂｏｌ）を含む。すると、本開示の実施例による上り伝送取り消し方法は、前記第１開始時刻と前記目標開始時刻情報に基づいて、上り伝送が取り消しになる第２開始時刻を決定することと、前記目標長さ情報に基づいて、上り伝送が取り消しになる目標長さを決定することとを更に含む。第２開始時刻は、第１開始時刻に対するものである。通常の場合、第２開始時刻は、上記第１開始時刻と同じであるか、それより遅い。
【００８６】
それに対応して、上記ステップ１０２は、具体的には、前記第２開始時刻から前記目標長さだけ経過した時間領域を前記目標時間領域に決定し、目標時間領域での上りｅＭＢＢサービス伝送を一時停止し又は取り消す。通常の場合、該方式で決定される目標時間領域は、上記基準時間領域内にある。
【００８７】
具体的には、ＵＬ  ＣＩは、第２開始時刻と目標長さＳＬＩＶ（ｓｔａｒｔ  ａｎｄ  ｌｅｎｇｔｈ  ｉｎｄｉｃａｔｏｒ）をビットフィールド（ｂｉｔ−ｆｉｅｌｄ）で指示し、目標長さが基準領域の合計長さを超えない。該ビットフィールドのサイズ（Ｂｉｔ−ｆｉｅｌｄ  ｓｉｚｅ）は、Ｂｉｔ−ｆｉｅｌｄ  ｓｉｚｅ＝ｃｅｉｌ（ｌｏｇ２（Ｎｓｙｍｂｏｌ＊Ｘ／Ｎｂｕｎｄｌｅ＿ｓｉｚｅ）＊（Ｎｓｙｍｂｏｌ＊Ｘ／Ｎｂｕｎｄｌｅ＿ｓｉｚｅ＋１）／２）である。ここで、Ｘは、基準時間領域の総スロット数を示し、Ｎｓｙｍｂｏｌは、１スロット内のシンボル数を示し、Ｎｂｕｎｄｌｅ＿ｓｉｚｅは、サブ領域のサイズ（又はシンボルの組み合わせのサイズ（ｓｙｍｂｏｌ  ｂｕｎｄｌｅ  ｓｉｚｅ））を表し、サブ領域のシンボル数とも呼ばれる。Ｎｂｕｎｄｌｅ＿ｓｉｚｅは、サブ領域の粒度と理解する。以下、サブ領域（又はシンボルの組み合わせ）を個別に説明するが、ここでは説明しない。
【００８８】
図８に示すように、ＵＥがＵＬ  ＣＩの指示に従ってＫ３＝１スロットを決定し、基準時間領域の合計長さが１スロット（Ｘ＝１）であり、ＵＥがスロットｎでＵＬ  ＣＩ（図８の１２）を受信する場合、ＵＥは、スロットｎからＫ３経過後の最初のスロットの境界を第１開始時刻ｔ１に決定し、スロットｎ＋１を基準時間領域（図８の２１）に決定する。また、ＵＬ  ＣＩは、更に第２開始時刻ｔ２が第１開始時刻ｔ１の後の５番目のシンボル（ｓｔａｒｔｉｎｇ  ｓｙｍｂｏｌが５である）であり、目標長さＴが３シンボルであると指示し、ＵＬ  ＣＩにおいてｔ１とＴを指示するためのビットフィールドのサイズは、Ｂｉｔ−ｆｉｅｌｄ＝ｃｅｉｌ（ｌｏｇ２（Ｎｓｙｍｂｏｌ＊（Ｎｓｙｍｂｏｌ＋１）／２））であり、サブ領域の粒度が１シンボルである。すると、ＵＥは、スロットｎ＋１のシンボル５〜シンボル８の時間領域を目標時間領域に決定し、スロットｎ＋１のシンボル５〜シンボル８の時間領域での上りｅＭＢＢサービス伝送（図８における塗りつぶしパターンは、参照符号２３で指す部分である）を取り消す。
【００８９】
また、図９に示すように、ＵＥがＵＬ  ＣＩの指示に従ってＫ３＝１スロットを決定し、基準時間領域の合計長さが１スロット（Ｘ＝１）であり、ＵＥがスロットｎでＵＬ  ＣＩ（図９の１２）を受信する場合、ＵＥは、スロットｎからＫ３経過後の最初のスロットの境界を第１開始時刻ｔ１に決定し、スロットｎ＋１を基準時間領域（図９の２１）に決定する。また、ＵＬ  ＣＩは、更に第２開始時刻ｔ２が第１開始時刻ｔ１の後の４番目のシンボル（ｓｔａｒｔｉｎｇ  ｓｙｍｂｏｌが４である）であり、目標長さＴが５シンボルであると決定し、ＵＬ  ＣＩにおいてｔ１とＴを指示するためのビットフィールドのサイズは、Ｂｉｔ−ｆｉｅｌｄ＝ｃｅｉｌ（ｌｏｇ２（Ｎｓｙｍｂｏｌ／２＊（Ｎｓｙｍｂｏｌ＋１）／２））であり、サブ領域の粒度が２シンボルである。すると、ＵＥは、スロットｎ＋１のシンボル４〜シンボル９の時間領域を目標時間領域に決定し、スロットｎ＋１のシンボル４〜シンボル９の時間領域での上りｅＭＢＢサービス伝送（図９における塗りつぶしパターンは、参照符号２３で指す部分である）を取り消す。
【００９０】
また、図１０に示すように、ＵＥが最小取り消し時間（ｔｍｉｎ＝１０シンボル）とＴＡ（２シンボル）に基づいて、所定時間間隔が１２シンボルであると決定し、基準時間領域の合計長さが１スロット（Ｘ＝１）であり、ＵＥがスロットｎの最初のシンボルでＵＬ  ＣＩ（図１０の１２）を受信する場合、ＵＥは、第１開始時刻ｔ１がスロットｎの最初のシンボルから１２シンボル経過後の最初のスロットの境界であり、基準時間領域がスロットｎ＋１（図１０の２１）であると決定する。また、ＵＬ  ＣＩは、更に第２開始時刻ｔ２が第１開始時刻ｔ１の後の４番目のシンボル（ｓｔａｒｔｉｎｇ  ｓｙｍｂｏｌが４である）であろ、目標長さＴが５シンボルであると決定し、ＵＬ  ＣＩにおいてｔ１とＴを指示するためのビットフィールドのサイズは、Ｂｉｔ−ｆｉｅｌｄ＝ｃｅｉｌ（ｌｏｇ２（Ｎｓｙｍｂｏｌ／２＊（Ｎｓｙｍｂｏｌ＋１）／２））であり、サブ領域の粒度が２シンボルである。すると、ＵＥは、スロットｎ＋１のシンボル４〜シンボル９の時間領域を目標時間領域に決定し、スロットｎ＋１のシンボル４〜シンボル９の時間領域での上りｅＭＢＢサービス伝送（図１０における塗りつぶしパターンは、参照符号２３で指す部分である）を取り消す。
【００９１】
また、図１１に示すように、ＵＥが最小取り消し時間（ｔｍｉｎ＝１０シンボル）とＴＡ（２シンボル）に基づいて、所定時間間隔が１２シンボルであると決定し、基準時間領域の合計長さがＹシンボルであり、ＵＥがスロットｎの最初のシンボルでＵＬ  ＣＩ（図１１の１２）を受信する場合、ＵＥは、第１開始時刻ｔ１がスロットｎの最初のシンボルから１２シンボル経過後の最初のシンボルであり、基準時間領域が第１開始時刻ｔ１から開始するＹシンボル（図１１の２１）であると決定する。また、ＵＬ  ＣＩは、更に第２開始時刻ｔ２が第１開始時刻ｔ１の後の５番目のシンボル（ｓｔａｒｔｉｎｇ  ｓｙｍｂｏｌが４である）であり、目標長さＴが６（ｄｕｒａｔｉｏｎ＝６）シンボルであると決定し、ＵＬ  ＣＩにおいてｔ１とＴを指示するためのビットフィールドのサイズは、Ｂｉｔ−ｆｉｅｌｄ＝ｃｅｉｌ（ｌｏｇ２（Ｙ／２＊（Ｙ＋１）／２））であり、サブ領域の粒度が２シンボルである。ｃｅｉｌ（）は、括弧内の数値以上の最小の整数を返すことを示す。すると、ＵＥは、第１開始時刻ｔ１の後の５番目のシンボルから、第１開始時刻ｔ１の後の１１番目のシンボルまでの時間領域を目標時間領域に決定し、該目標時間領域での上りｅＭＢＢサービス伝送（図１１における塗りつぶしパターンは、参照符号２３で指す部分である）を取り消す。
【００９２】
本開示の実施例による上り伝送取り消し方法は、上り伝送取り消し指令を受信した場合、基準時間領域の開始時刻を決定し、基準時間領域の開始時刻に基づいて目標時間領域を決定し、更に、目標時間領域での上り伝送を一時停止し又は取り消す。従って、端末機器は、上り伝送の取り消しが必要な具体的な時間領域リソースの明確化が可能になり、システムのリソーススケジューリング効率を向上させる。
【００９３】
本開示の別の実施例において、上り伝送取り消し方法は、上り伝送取り消し指令（ＵＬ  ＣＩ）を受信した場合、前記上り伝送取り消し指令によって指示される遅延（ｏｆｆｓｅｔ）に基づいて、上り伝送が取り消しになるスロットを決定することと、前記上り伝送取り消し指令によって指示される上り伝送を取り消しにする開始シンボル及び前記上り伝送が取り消しになるスロットに基づいて、上り伝送が取り消しになる目標時間領域を決定することとを含む。すなわち、基準時間領域を設定せず（又は、基準時間領域を暗示的に設定する）、ＵＬ  ＣＩにおいて、遅延及び実際に取り消されるスロット又はシンボル（ｃａｎｃｅｌｌｅｄ  ｓｌｏｔ／ｓｙｍｂｏｌ（ｓ））を指示する。
【００９４】
ここで、前記上り伝送取り消し指令によって指示される遅延（ｏｆｆｓｅｔ）に基づいて、上り伝送が取り消しになるスロットを決定することは、前記上り伝送取り消し指令の受信時刻から前記遅延経過後の最初のシンボルが位置するスロットを、上り伝送が取り消しになるスロットに決定することを含む。
【００９５】
具体的には、ＲＲＣを介してＵＥにＫ３遅延のセット（上記の表１を参照）を設定しておき、ＵＬ  ＣＩは、具体的なＫ３値を指示する。ＵＥは、ＵＬ  ＣＩの受信時刻及びＫ３に基づいて、取り消されるシンボルが存在するスロットを決定し、次いで、指示された開始シンボルから、該スロットでの上り伝送を取り消す。
【００９６】
具体的には、図１２に示すように、ＵＥがスロットｎのシンボルｉでＵＬ  ＣＩ（図１２の１２）を受信し、且つＵＬ  ＣＩがＫ３の具体的な値を指示しているとし、ＵＥは、ＵＬ  ＣＩの受信時刻とＫ３とから、上り伝送が取り消しになるスロットがスロットｎ＋１であると決定する。また、ＵＬ  ＣＩは、更に、上り伝送を取り消しにする開始シンボルが４（ｓｔａｒｔｉｎｇ  ｓｙｍｂｏｌが４である）であることを指示する場合、スロットｎ＋１のシンボル４からスロットｎ＋１の最後のシンボルまでの時間領域を目標時間領域に決定し、スロットｎ＋１のシンボル４からスロットｎ＋１の最後のシンボルまでの時間領域での上りｅＭＢＢサービス伝送を取り消す（図１２の塗りつぶしパターンは、参照符号２３で指す部分である）。
【００９７】
また、例えば、ＵＬ  ＣＩにおいて、ＵＬ  ＣＩの受信時刻に対する上り伝送を取り消しにするシンボル（ｃａｎｃｅｌｌｅｄ  ｓｙｍｂｏｌ（ｓ））の開始シンボル（ｓｔａｒｔｉｎｇ  ｓｙｍｂｏｌ）をビットフィールド（Ｂｉｔ−ｆｉｅｌｄ）で指示し、且つネットワーク機器が予めＲＲＣを介して設定したビットフィールドのサイズがＢｉｔ−ｆｉｅｌｄ  ｓｉｚｅ＝ｃｅｉｌ（ｌｏｇ２（ｍａｘ＿ｔｏｔａｌ＿ｓｙｍｂｏｌ＿ｎｕｍ／Ｎｂｕｎｄｌｅ＿ｓｉｚｅ））である。ここで、Ｎｂｕｎｄｌｅ＿ｓｉｚｅは、シンボルの組み合わせのサイズ（ｓｙｍｂｏｌ  ｂｕｎｄｌｅ  ｓｉｚｅ）を示し、ＲＲＣによって、ＵＬ  ＣＩで指示できる最も遠い開始シンボルを設定し、該設定によって、ビットフィールドのサイズも決定する。ｍａｘ＿ｔｏｔａｌ＿ｓｙｍｂｏｌ＿ｎｕｍは、ＲＲＣで暗黙的に設定され又はデフォルトの基準時間領域の総シンボル数を示す。ＵＥは、ＵＬ  ＣＩを受信すると、ビットフィールドの指示に基づいて、上り伝送を取り消しにする開始シンボルが存在するスロットを決定し、指示された開始シンボルから、該スロットでの上り伝送を取り消す。
【００９８】
また、例えば、ＵＬ  ＣＩにおいて、ＵＬ  ＣＩの受信時刻に対する上り伝送を取り消しにするシンボル（ｃａｎｃｅｌｌｅｄ  ｓｙｍｂｏｌ（ｓ））の開始シンボル（ｓｔａｒｔｉｎｇ  ｓｙｍｂｏｌ）と目標長さ（ｄｕｒａｔｉｏｎ）をビットフィールド（Ｂｉｔ−ｆｉｅｌｄ）で指示し、即ちＵＬ  ＣＩがＳＬＩＶを指示し、且つネットワーク機器が予めＲＲＣを介して設定したビットフィールドのサイズがＢｉｔ−ｆｉｅｌｄ  ｓｉｚｅ＝ｃｅｉｌ（ｌｏｇ２（ｍａｘ＿ｔｏｔａｌ＿ｓｙｍｂｏｌ＿ｎｕｍ／Ｎｂｕｎｄｌｅ＿ｓｉｚｅ）＊（ｍａｘ＿ｔｏｔａｌ＿ｓｙｍｂｏｌ＿ｎｕｍ／Ｎｂｕｎｄｌｅ＿ｓｉｚｅ）＋１）／２）である。ここで、Ｎｂｕｎｄｌｅ＿ｓｉｚｅは、シンボルの組み合わせのサイズ（ｓｙｍｂｏｌ  ｂｕｎｄｌｅ  ｓｉｚｅ）を示し、ＲＲＣによって、ＵＬ  ＣＩで指示できる最も遠い開始シンボルを設定し、該設定によって、ビットフィールドのサイズも決定する。ＵＥは、ＵＬ  ＣＩを受信すると、ＵＬ  ＣＩのビットフィールドで指示されるＳＬＩＶに基づいて、上り伝送を取り消しにする開始シンボルと目標長さを決定し、指示された開始シンボルから、該目標長さの時間領域での上り伝送を取り消す。
【００９９】
以下、以上言及したサブ領域（又はシンボルの組み合わせ）を説明する。
【０１００】
選択可能に、本開示のいずれの実施例による上り伝送取り消し方法は、前記基準時間領域を区分するための上位層シグナリング（例えばＲＲＣ）に基づいて、前記基準時間領域を所定長さの複数のサブ領域に区分し、又は、１スロットを所定長さの複数のサブ領域に区分することを更に含み、ＵＬ  ＣＩにおけるビットフィールドのサイズを小さくして伝送リソースを節約する。
【０１０１】
ここで、前記所定長さは、１つの時間シンボル以上であり、前記目標開始時刻情報は、上り伝送が取り消しになる時間領域リソースに含まれるサブ領域のうちの開始サブ領域を指示するものであり、前記目標長さ情報は、上り伝送が取り消しになる時間領域リソースに含まれるサブ領域の数を指示するものである。
【０１０２】
例えば、１スロットが１４シンボルを有すると仮定すると、サブ領域のサイズが１シンボルに等しいとき、ＵＬ  ＣＩは、スロット内のすべてのシンボルに対する指示を実現するために４ビット（０から１５を指示することができる）を必要とする。サブ領域のサイズが２シンボルに等しい（２シンボルの組み合わせ）場合、該スロットは、７つのサブ領域を含み、ＵＬ  ＣＩは、該スロット内の全てのサブ領域に対する指示を実現するために３ビット（０〜７を指示することができる）があればよい。従って、スロット又は基準時間領域内のシンボルを組み合わせることによって、ＵＬ  ＣＩ内のビットフィールドのサイズを減少させることができ、ＵＬ  ＣＩによって占有される伝送リソースを節約することができる。
【０１０３】
具体的な実現において、サブ領域のサイズ（又はシンボルの組み合わせのサイズ）は、ネットワーク機器がＲＲＣを介して設定する。
【０１０４】
選択可能に、図１３に示すように、本開示のいずれの実施例による上り伝送取り消し方法は、更に以下のステップを含む。
【０１０５】
ステップ１０３において、前記上り伝送取り消し指令に周波数領域指示情報が含まれる場合、前記周波数領域指示情報に基づいて、上り伝送が取り消しになる目標周波数領域リソースを決定する。
【０１０６】
上記ＵＬ  ＣＩには、周波数領域指示情報が含まれていてもよいが、もちろん（周波数領域指示情報が）含まれていなくてもよい。端末機器は、ＵＬ  ＣＩを受信する前に、通常、（例えば上位層シグナリングによって設定され、又はプロトコルで規定されている）ＵＬ  ＣＩに周波数領域指示情報が含まれているか否かを決定する。
【０１０７】
上記周波数領域指示情報は、上り伝送を一時停止又は取り消しにする目標周波数領域リソースを指示するものである。ここでいう目標周波数領域リソースは、決定された基準周波数領域（Ｒｅｆｅｒｅｎｃｅ  Ｆｒｅｑｕｅｎｃｙ  ｒｅｇｉｏｎ）であってもよいし、上記基準周波数領域のうちの１つ又は複数の周波数帯サブセットであってもよい。
【０１０８】
上記基準周波数領域は、ネットワーク機器からの上位層シグナリングによって決定されてもよいし、プロトコルで約束されてもよい。具体的な実施形態において、デフォルトの前記基準周波数領域は、端末機器が現在活性化している上りＢＷＰである。別の具体的な実施形態において、前記基準周波数領域は、前記ネットワーク機器が上位層シグナリングを介して設定した周波数帯域幅である。ここで設定される周波数帯域幅は、上記の現在活性化されている上りＢＷＰであってもよいし、現在活性化されている上りＢＷＰの一部の帯域幅であってもよい。
【０１０９】
ステップ１０４において、前記目標時間領域及び前記目標周波数領域リソースに基づいて、上り伝送が取り消しになる目標時間周波数リソースを決定する。
【０１１０】
もちろん、端末機器は、目標周波数領域リソースが決定された後、前記目標時間周波数リソースでの上り伝送を一時停止し又は取り消すこともでき、これにより、ＵＲＬＬＣサービスの低遅延及び高信頼性要件が達成される。
【０１１１】
上記で言及したように、ＵＬ  ＣＩにおける周波数領域指示情報は、基準周波数領域の１つ又は複数の周波数帯サブセット、すなわち、目標周波数領域リソースを指示するものである。ここで、これらの周波数帯サブセットは、基準周波数領域をセグメント化することによって得られる。例えば、基準周波数領域の帯域幅は、４００ＭＨｚ〜５００ＭＨｚであり、１０個の等しい周波数帯サブセットに分割され、最初の周波数帯サブセットは、４００ＭＨｚ〜４１０ＭＨｚであり、２番目の周波数帯サブセットは、４１０ＭＨｚ〜４２０ＭＨｚであり、……、１０番目の周波数帯サブセットは、４９０ＭＨｚ〜５００ＭＨｚである。
【０１１２】
各周波数帯サブセットのサイズ、又は周波数帯サブセットの数は、ネットワーク機器からの上位層シグナリングに基づいて決定される。各周波数帯サブセットのサイズ、又は周波数帯サブセットの数は、周波数領域リソースによって指示される粒度を反映する。
【０１１３】
ＵＬ  ＣＩにおける周波数領域指示情報が１つ又は複数の周波数帯サブセットを指示する方式には、以下のいくつかの実施形態がある。
【０１１４】
実施形態１：ビットマップ指示方式で周波数帯サブセットを指示する。
例えば、基準周波数領域は、Ｍ（Ｍは、１より大きい正の整数）個の周波数帯サブセットに分割される。従って、ＵＬ  ＣＩにおける指示情報は、具体的には、Ｍビットのビットマップであり、上記ビットマップに基づいて、１つ又は複数の周波数帯サブセット、すなわち、目標周波数領域リソースを指示する。Ｍ＝１の場合、ＵＬ  ＣＩには、周波数領域指示情報（後述）が含まれていなくてもよい。
【０１１５】
ここでのＭビットのビットマップは、基準周波数領域の単一の周波数帯サブセット、基準周波数領域の複数の連続した周波数帯サブセット、又は、基準周波数領域の複数の不連続な周波数帯サブセットを指示する。
【０１１６】
ビットマップ指示方式によれば、設定が便利であり、指示方式が柔軟であり、１つ又は複数の周波数帯サブセットを柔軟に指示することができる。
【０１１７】
実施形態２：単一インデックス指示方式で周波数帯サブセットを指示する。例えば、基準周波数領域をＭ（Ｍは、１より大きい正の整数）個の周波数帯サブセットに分割し、各周波数帯サブセットにインデックスが設定されている。このように、ＵＬ  ＣＩにおける指示情報は、具体的には、周波数帯サブセットのインデックスを指示することに用いられる。Ｍ＝１の場合、ＵＬ  ＣＩには周波数領域指示情報（後述）が含まれていなくてもよい。
【０１１８】
該実施形態は、前記基準周波数領域の単一の周波数帯サブセットを指示するために用いられる。各周波数帯サブセットについて、ｃｅｉｌ（ｌｏｇ２Ｍ）ビットの周波数領域表示情報がＵＬ  ＣＩに含まれ、式ｃｅｉｌ（）は、括弧内の数値以上の最小整数を返すことを示す。
【０１１９】
実施形態３：インデックスと連続な周波数帯サブセットの数の方式で周波数帯サブセットを指示する。例えば、基準周波数領域がＭ（Ｍは、１より大きい正の整数）個の周波数帯サブセットに分割され、各周波数帯サブセットにはインデックスが設定されている。このように、ＵＬ  ＣＩにおける周波数領域指示情報は、具体的には、複数の連続した周波数帯サブセットのうちの開始周波数帯サブセットのインデックスと前記複数の連続した周波数帯サブセットの数を指示することに用いられる。この場合、目標周波数領域リソースは、上記複数の連続した周波数帯サブセットである。
【０１２０】
該実施形態において、ＵＬ  ＣＩには、複数の連続した周波数帯サブセットのうちの開始周波数帯サブセットのインデックス及び前記複数の連続した周波数帯サブセットの数をそれぞれ指示する
【数１】
2021519021.tif 000005
ビットの周波数領域指示情報が含まれる。
【０１２１】
実施形態３の指示方法によれば、周波数領域指示情報のデータ量が小さいので、シグナリングオーバーヘッドを節約できる。
【０１２２】
例えば、図１４に示すように、ＵＥがスロットｎでＵＬ  ＣＩ（図１４の１２）を受信し、基準時間領域の合計長さが２スロットであり、且つＵＬ  ＣＩがＫ３＝１スロットを指示すると、ＵＥは、スロットｎからＫ３経過後の最初のスロットの境界を第１開始時刻ｔ１に決定し、スロットｎ＋１及びスロットｎ＋２を基準時間領域に決定し、ＵＬ  ＣＩで指示するサブ領域の粒度が２シンボルである。また、基準周波数領域リソース（Ｒｅｆｅｒｅｎｃｅ  ｆｒｅｑｕｅｎｃｙ  ｒｅｇｉｏｎ）は、ＵＬ  ＢＷＰであり、基準周波数領域リソースは、４つの周波数帯サブセットに分割され、ＵＬ  ＣＩは、具体的に取り消しにする周波数帯サブセットを２ビットで指示し、目標周波数領域リソースとする。更に、ＵＬ  ＣＩは、上り伝送を取り消しにする開始シンボルが５（ｓｔａｒｔｉｎｇ  ｓｙｍｂｏｌが５である）であることを更に示し、ＵＬ ＣＩは、上り伝送を取り消しにする目標周波数領域リソースが最初の周波数帯サブセットであることを指示する。すると、ＵＥは、取り消し可能な周波数領域リソースがスロットｎ＋１の５番目のシンボルからスロットｎ＋２の１４番目のシンボル上の、目標周波数領域リソースと重なる周波数領域リソース（図１４の塗りつぶしパターンは、参照符号２３で指す部分である）であると決定する。図１４においてｔは、時間を示し、ｆは、周波数を示す。
【０１２３】
本開示の実施例による上り伝送取り消し方法によれば、端末機器は、上り伝送取り消し指令を受信した場合、上り伝送が取り消しになる目標時間周波数リソースを決定することができるため、システムのリソーススケジューリング効率を向上させる。
【０１２４】
選択可能に、図１５に示すように、本開示のいずれの実施例による上り伝送取り消し方法は、前記上り伝送取り消し指令に前記周波数領域指示情報が含まれていない場合、基準周波数領域を、上り伝送が取り消しになる目標周波数領域リソースに決定するステップ１０５と、前記目標時間領域及び前記目標周波数領域リソースに基づいて、上り伝送が取り消しになる目標時間周波数リソースを決定するステップ１０６とを更に含む。ここで、前記基準周波数領域は、上位層シグナリングを介してネットワーク機器が設定した周波数帯域幅であり、又は、前記基準周波数領域は、端末機器がプロトコルに基づいて決定した周波数帯域幅である。
【０１２５】
具体的には、ここの基準周波数領域は、現在活性化されている上りＢＷＰであってもよいし、現在活性化されている上りＢＷＰのうちの一部の帯域幅であってもよい。
【０１２６】
端末機器は、上り伝送取り消し指令を受信した場合、直接、基準周波数領域を、上り伝送が取り消しになる目標周波数領域リソースに決定する。
【０１２７】
基準周波数領域を、上り伝送が取り消しになる目標周波数領域リソースに決定した後に、前記目標周波数領域リソースでの上り伝送を一時停止し又は取り消す。
【０１２８】
同様に、本開示の実施例による上り伝送取り消し方法によれば、端末機器は、上り伝送取り消し指令を受信した場合、上り伝送が取り消しになる目標時間周波数リソースを決定することができるため、システムのリソーススケジューリング効率を向上させる。
【０１２９】
以上、図１〜図１５とともに本願の実施例による上り伝送取り消し方法を詳細に記載した。以下、図１６〜図１８とともに本願の実施例による端末機器を詳細に記載する。
【０１３０】
図１６は、本開示の実施例による端末機器の構造図を示す。図１６に示すように、端末機器６００は、第１決定モジュール６０１と、第２決定モジュール６０２を含む。
【０１３１】
第１決定モジュール６０１は、上り伝送取り消し指令を受信した場合、基準時間領域の開始時刻である第１開始時刻を決定することに用いられる。
【０１３２】
選択可能に、前記第１決定モジュール６０１は、具体的には、前記上り伝送取り消し指令の受信時刻と所定時間間隔に基づいて、前記第１開始時刻を決定することに用いられる。
【０１３３】
選択可能に、端末機器６００は、前記上り伝送取り消し指令に含まれる前記所定時間間隔を指示するための情報に基づいて、前記所定時間間隔を決定する方式、前記所定時間間隔を設定するための上位層シグナリングに基づいて前記所定時間間隔を決定する方式、又は、第１所定値に基づいて前記所定時間間隔を決定する方式のうちの１つに基づいて、前記所定時間間隔を決定するための所定時間間隔決定モジュールを更に含む。
【０１３４】
選択可能に、前記第１所定値は、所定の最小取り消し時間であり、前記所定時間間隔決定モジュールは、具体的には、上りタイミングアドバンス値と前記最小取り消し時間に基づいて、前記所定時間間隔を決定することに用いられる。
【０１３５】
選択可能に、第１決定モジュール６０１は、具体的には、前記上り伝送取り消し指令の受信時刻から前記所定時間間隔経過後の最初のスロット又は最初のシンボルを前記第１開始時刻に決定することに用いられる。
【０１３６】
第２決定モジュール６０２は、前記第１開始時刻に基づいて、上り伝送が取り消しになる目標時間領域を決定することに用いられる。
【０１３７】
１つの具体的な実施形態において、端末機器６００は、前記基準時間領域の合計長さを決定するための合計長さ決定モジュールを更に含む。それに対応して、上記第２決定モジュール６０２は、具体的には、前記合計長さと前記第１開始時刻に基づいて、前記目標時間領域を決定することに用いられる。
【０１３８】
選択可能に、前記合計長さ決定モジュールは、具体的には、前記合計長さを設定するための上位層シグナリングに基づいて前記合計長さを決定する方式、前記上り伝送取り消し指令の検出周期に基づいて前記合計長さを決定する方式、又は、第２所定値に基づいて前記合計長さを決定する方式のうちの１つに基づいて前記合計長さを決定することに用いられる。
【０１３９】
選択可能に、上記第２決定モジュール６０２は、具体的には、前記第１開始時刻から前記合計長さに亘る時間領域を前記目標時間領域に決定することに用いられる。
【０１４０】
別の実施形態において、前記上り伝送取り消し指令は、上り伝送が取り消しになる時間領域リソースを指示するための目標開始時刻情報を含む。端末機器６００は、前記第１開始時刻と前記目標開始時刻情報に基づいて、上り伝送が取り消しになる第２開始時刻を決定するための第１時刻決定モジュールを更に含む。それに対応して、上記第２決定モジュール６０２は、具体的には、前記合計長さと前記第１開始時刻に基づいて、前記基準時間領域の終了時刻を決定することと、前記第２開始時刻から前記終了時刻までの時間領域を前記目標時間領域に決定することとに用いられる。
【０１４１】
また別の実施形態において、前記上り伝送取り消し指令は、上り伝送が取り消しになる時間領域リソースを指示するための目標開始時刻情報及び目標長さ情報を含む。端末機器６００は、前記第１開始時刻と前記目標開始時刻情報に基づいて、上り伝送が取り消しになる第２開始時刻を決定するための第２時刻決定モジュールと、前記目標長さ情報に基づいて、上り伝送が取り消しになる目標長さを決定するための目標長さ決定モジュールと、前記第２開始時刻から前記目標長さだけ経過した時間領域を前記目標時間領域に決定するための目標時間領域決定モジュールとを更に含む。
【０１４２】
選択可能に、本開示の実施例による端末機器６００は、前記目標時間領域での上り伝送を一時停止し又は取り消すための第１取消モジュールを更に含む。
【０１４３】
本願の実施例による端末機器は、上り伝送取り消し指令を受信した場合、基準時間領域の開始時刻を決定し、基準時間領域の開始時刻に基づいて目標時間領域を決定し、更に、目標時間領域での上り伝送を一時停止し又は取り消す。従って、端末機器は、上り伝送の取り消しが必要な具体的な時間領域リソースの明確化が可能になり、システムのリソーススケジューリング効率を向上させる。
【０１４４】
選択可能に、本開示の実施例による端末機器６００は、前記基準時間領域を区分するための上位層シグナリングに基づいて、前記基準時間領域を所定長さの複数のサブ領域に区分するためのサブ領域区分モジュールを更に含み、ＵＬ  ＣＩにおけるビットフィールドのサイズを減少させ、伝送リソースを節約する。
【０１４５】
ここで、前記所定長さは、１つの時間シンボル以上であり、前記目標開始時刻情報は、上り伝送が取り消しになる時間領域リソースに含まれるサブ領域のうちの開始サブ領域を指示するものであり、前記目標長さ情報は、上り伝送が取り消しになる時間領域リソースに含まれるサブ領域の数を指示するものである。
【０１４６】
選択可能に、図１７に示すように、本開示の実施例による端末機器６００は、前記上り伝送取り消し指令に周波数領域指示情報が含まれる場合、前記周波数領域指示情報に基づいて、上り伝送が取り消しになる目標周波数領域リソースを決定するための第３決定モジュール６０３と、前記目標時間領域及び前記目標周波数領域リソースに基づいて、上り伝送が取り消しになる目標時間周波数リソースを決定するための第４決定モジュール６０４とを更に含む。
【０１４７】
選択可能に、前記周波数領域指示情報は、基準周波数領域の１つ又は複数の周波数帯サブセットを指示するものである。ここで、前記基準周波数領域は、上位層シグナリングを介してネットワーク機器が設定した周波数帯域幅であり、又は、前記基準周波数領域は、端末機器がプロトコルに基づいて決定した周波数帯域幅である。
【０１４８】
選択可能に、前記基準周波数領域は、現在活性化されている上り帯域幅パートＢＷＰを含む。
【０１４９】
選択可能に、前記周波数領域指示情報は、前記基準周波数領域の単一の周波数帯サブセット、前記基準周波数領域の複数の連続した周波数帯サブセットのうちの、開始周波数帯サブセット及び前記複数の連続した周波数帯サブセットの数、又は、前記基準周波数領域の複数の不連続な周波数帯サブセットのうちの少なくとも１つを指示するものである。
【０１５０】
本開示の実施例による端末機器は、上り伝送取り消し指令を受信した場合、上り伝送が取り消しになる目標時間周波数リソースを決定することができるため、システムのリソーススケジューリング効率を向上させる。
【０１５１】
選択可能に、図１８に示すように、本開示の実施例による端末機器６００は、前記上り伝送取り消し指令に前記周波数領域指示情報が含まれていない場合、基準周波数領域を、上り伝送が取り消しになる目標周波数領域リソースに決定するための第５決定モジュール６０５と、前記目標時間領域及び前記目標周波数領域リソースに基づいて、上り伝送が取り消しになる目標時間周波数リソースを決定するための第６決定モジュール６０６とを更に含む。ここで、前記基準周波数領域は、上位層シグナリングを介してネットワーク機器が設定した周波数帯域幅であり、又は、前記基準周波数領域は、端末機器がプロトコルに基づいて決定した周波数帯域幅である。
【０１５２】
選択可能に、前記基準周波数領域は、現在活性化されている上り帯域幅パートＢＷＰを含む。
【０１５３】
本開示の実施例による端末機器は、上り伝送取り消し指令を受信した場合、上り伝送が取り消しになる目標時間周波数リソースを決定することができるため、システムのリソーススケジューリング効率を向上させる。
【０１５４】
選択可能に、図１３又は図１５に示すいずれの実施例を基に、本開示の実施例による端末機器６００は、前記目標時間周波数リソースでの上り伝送を一時停止し又は取り消すための第２取消モジュールを更に含む。
【０１５５】
上記図１６〜図１８に示す端末機器は、上記図１、図１３、図１５に示す上り伝送取り消し方法の各実施例を実現可能であり、関連箇所については、上記方法の実施例を参照する。
【０１５６】
図１９は、本開示の別の実施例の端末機器の構造図である。図１９に示す端末機器９００は、少なくとも１つのプロセッサ９０１と、メモリ９０２と、少なくとも１つのネットワークインタフェース９０４と、ユーザインタフェース９０３を含む。端末９００における各構成部品は、バスシステム９０５を介して結合される。バスシステム９０５は、これらの構成部品の間の接続と通信に用いられることが理解できる。バスシステム９０５は、データバスのほかに、電源バス、制御バス及び状態信号バスを更に含む。ただし、明確に説明するために、図９において、各種類のバスをすべてバスシステム９０５として標記している。
【０１５７】
ここで、ユーザインタフェース９０３は、ディスプレイ、キーボード又はポインティングデバイス（たとえばマウス、トラックボール（ｔｒａｃｋ  ｂａｌｌ））、タッチパネル又はタッチスクリーンなどを含む。
【０１５８】
本開示の実施例におけるメモリ９０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ９０２は、これらに限られず、これら及びこれら以外の任意の適合する種類のメモリを含むとする。
【０１５９】
一部実施例において、メモリ９０２には、実行可能なモジュール又はデータ構造、又はそれらのサブセット、又は、それらの拡張セットであるオペレーションシステム９０２１とアプリケーションプログラム９０２２が記憶されている。
【０１６０】
ここで、オペレーションシステム９０２１は、フレーム層、コアライブラリ層、駆動層など各種類のシステムプログラムを含み、各種類のベーシックサービスの実現及びハードウェアに基づくタスクの処理に用いられる。アプリケーションプログラム９０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム９０２２に含まれる。
【０１６１】
本開示の実施例において、端末機器９００は、メモリ９０２に格納されてプロセッサ９０１で動作可能なコンピュータプログラムを更に含む。コンピュータプログラムがプロセッサ９０１によって実行されると、上記の上り伝送取り消し方法の各プロセスが実現され、且つ同じ技術効果を奏することもでき、重複を避けるために、ここでは繰り返して記載しない。
【０１６２】
上記の本開示の実施例に開示される方法は、プロセッサ９０１に応用可能であり、又はプロセッサ９０１によって実現される。プロセッサ９０１は、信号処理能力を有するＩＣチップである。実現プロセスにおいて、上記方法の各ステップは、プロセッサ９０１におけるハードウェアの集積論理回路又はソフトウェア形式の指令によって遂行される。上記プロセッサ９０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。該コンピュータ読み取り可能な記憶媒体は、メモリ９０２に位置する。プロセッサ９０１は、メモリ９０２における情報を読み取って、そのハードウェアと組み合わせて上記方法のステップを遂行する。具体的には、該コンピュータ読み取り可能な記憶媒体には、コンピュータプログラムが格納されており、コンピュータプログラムがプロセッサ９０１によって実行されると、上記上り伝送取り消し方法の実施例の各ステップが実現される。
【０１６３】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０１６４】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０１６５】
本開示の実施例は、コンピュータプログラムが格納されているコンピュータ読み取り可能な記憶媒体を更に提供する。該コンピュータプログラムがプロセッサによって実行されると、上記上り伝送取り消し方法の実施例の各プロセスが実現され、且つ同じ技術効果を奏することもでき、重複を避けるために、ここでは繰り返して記載しない。前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１６６】
本開示の実施例は、指令を含むコンピュータプログラムプロダクトを更に提供する。前記コンピュータプログラムプロダクトの前記指令をコンピュータで動作させると、前記コンピュータは、上記上り伝送取り消し方法を実行する。具体的には、該コンピュータプログラムプロダクトは、上記ネットワーク機器で動作可能である。
【０１６７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１６８】
記載の便利や簡潔化のために、以上記載したシステム、装置及びユニットの具体的な動作プロセスは、方法実施例における対応プロセスを参照されたく、ここでは繰り返して記載しない。これは、当業者にとって自明である。
【０１６９】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１７０】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１７１】
また、本開示の各実施例における各機能的ユニットは、１つの処理ユニットに一体化されていてもよいし、物理的に別々に設けられていてもよいし、２つ以上が一体化されてもよい。
【０１７２】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。記憶媒体は、Ｕディスク、モバイルハードディスク、ＲＯＭ、ＲＡＭ、磁気ディスク又は光ディスクなど、プログラムコードを格納することができる様々な媒体を含む。
【０１７３】
以上の記載は、本願の具体的な実施形態に過ぎず、本願の保護範囲は、これらに限られない。本願に開示された技術範囲内に当業者が容易に想到できる変更や置き換えは、いずれも本願の保護範囲内に含まれる。本願の保護範囲は、特許請求の範囲を基準とするべきである。
【符号の説明】
【０１７４】
６００  端末機器
６０１  第１決定モジュール
６０２  第２決定モジュール
６０３  第３決定モジュール
６０４  第４決定モジュール
６０５  第５決定モジュール
６０６  第６決定モジュール
９００  端末機器
９０１  プロセッサ
９０２  メモリ
９０２１  オペレーションシステム
９０２２  アプリケーションプログラム
９０３  ユーザインタフェース
９０４  ネットワークインタフェース
９０５  バスシステム
【図１】
2021519021.tif 000006
【図２】
2021519021.tif 000007
【図３】
2021519021.tif 000008
【図４】
2021519021.tif 000009
【図５】
2021519021.tif 000010
【図６】
2021519021.tif 000011
【図７】
2021519021.tif 000012
【図８】
2021519021.tif 000013
【図９】
2021519021.tif 000014
【図１０】
2021519021.tif 000015
【図１１】
2021519021.tif 000016
【図１２】
2021519021.tif 000017
【図１３】
2021519021.tif 000018
【図１４】
2021519021.tif 000019
【図１５】
2021519021.tif 000020
【図１６】
2021519021.tif 000021
【図１７】
2021519021.tif 000022
【図１８】
2021519021.tif 000023
【図１９】
2021519021.tif 000024
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
端末機器に応用される上り伝送取り消し方法であって、
上り伝送取り消し指令を受信した場合、基準時間領域の開始時刻である第１開始時刻を決定することと、
前記第１開始時刻に基づいて、上り伝送が取り消しになる目標時間領域を決定することとを含む、上り伝送取り消し方法。
【請求項２】
前記の第１開始時刻を決定することは、
前記上り伝送取り消し指令の受信時刻と所定時間間隔に基づいて、前記第１開始時刻を決定することを含む、請求項１に記載の方法。
【請求項３】
前記上り伝送取り消し指令に含まれる前記所定時間間隔を指示するための情報に基づいて、前記所定時間間隔を決定する方式、前記所定時間間隔を設定するための上位層シグナリングに基づいて前記所定時間間隔を決定する方式、又は、第１所定値に基づいて前記所定時間間隔を決定する方式のうちの１つに基づいて、前記所定時間間隔を決定することを更に含み、
前記第１所定値は、所定の最小取り消し時間である、請求項２に記載の方法。
【請求項４】
前記の第１所定値に基づいて前記所定時間間隔を決定することは、特に、
上りタイミングアドバンス値と前記最小取り消し時間に基づいて、前記所定時間間隔を決定することを含み、
前記上りタイミングアドバンス値は、無線リソース制御ＲＲＣによって設定される、請求項３に記載の方法。
【請求項５】
前記基準時間領域の合計長さを決定することを更に含み、
前記の前記第１開始時刻に基づいて、上り伝送が取り消しになる目標時間領域を決定することは、特に、
前記合計長さと前記第１開始時刻に基づいて、前記目標時間領域を決定することを含み、
前記の基準時間領域の合計長さを決定することは、
前記合計長さを設定するための上位層シグナリングに基づいて前記合計長さを決定する方式、前記上り伝送取り消し指令の検出周期に基づいて前記合計長さを決定する方式、又は、第２所定値に基づいて前記合計長さを決定する方式のうちの１つに基づいて前記合計長さを決定することを含む、請求項１に記載の方法。
【請求項６】
前記上り伝送取り消し指令は、上り伝送が取り消しになる時間領域リソースを指示するための目標開始時刻情報及び目標長さ情報を含み、
前記方法は、
前記第１開始時刻と前記目標開始時刻情報に基づいて、上り伝送が取り消しになる第２開始時刻を決定することと、
前記目標長さ情報に基づいて、上り伝送が取り消しになる目標長さを決定することと、
前記第２開始時刻から前記目標長さだけ経過した時間領域を前記目標時間領域に決定することとを更に含む、請求項５に記載の方法。
【請求項７】
前記基準時間領域を区分するための上位層シグナリングに基づいて、前記基準時間領域を所定長さの複数のサブ領域に区分することを更に含み、
前記所定長さは、１つの時間シンボル以上であり、前記目標開始時刻情報は、上り伝送が取り消しになる時間領域リソースに含まれるサブ領域のうちの開始サブ領域を指示するものであり、前記目標長さ情報は、上り伝送が取り消しになる時間領域リソースに含まれるサブ領域の数を指示するものである、請求項６に記載の方法。
【請求項８】
前記の前記合計長さと前記第１開始時刻に基づいて、前記目標時間領域を決定することは、
前記第１開始時刻から前記合計長さに亘る時間領域を前記目標時間領域に決定することを含み、または、
前記上り伝送取り消し指令は、上り伝送が取り消しになる時間領域リソースを指示するための目標開始時刻情報を含み、
前記方法は、
前記第１開始時刻と前記目標開始時刻情報に基づいて、上り伝送が取り消しになる第２開始時刻を決定することを更に含み、
前記の前記合計長さと前記第１開始時刻に基づいて、前記目標時間領域を決定することは、
前記合計長さと前記第１開始時刻に基づいて、前記基準時間領域の終了時刻を決定することと、
前記第２開始時刻から前記終了時刻までの時間領域を前記目標時間領域に決定することとを含む、請求項６に記載の方法。
【請求項９】
上り伝送取り消し指令を受信した場合、基準時間領域の開始時刻である第１開始時刻を決定するための第１決定モジュールと、
前記第１開始時刻に基づいて、上り伝送が取り消しになる目標時間領域を決定するための第２決定モジュールとを含む、端末機器。
【請求項１０】
前記第１決定モジュールは、特に、前記上り伝送取り消し指令の受信時刻と所定時間間隔に基づいて、前記第１開始時刻を決定することに用いられる、請求項９に記載の端末機器。
【請求項１１】
前記上り伝送取り消し指令に含まれる前記所定時間間隔を指示するための情報に基づいて、前記所定時間間隔を決定する方式、前記所定時間間隔を設定するための上位層シグナリングに基づいて前記所定時間間隔を決定する方式、又は、第１所定値に基づいて前記所定時間間隔を決定する方式のうちの１つに基づいて、前記所定時間間隔を決定するための所定時間間隔決定モジュールを更に含み、
前記第１所定値は、所定の最小取り消し時間である、請求項１０に記載の端末機器。
【請求項１２】
前記所定時間間隔決定モジュールは、特に、上りタイミングアドバンス値と前記最小取り消し時間に基づいて、前記所定時間間隔を決定することに用いられ、
前記上りタイミングアドバンス値は、無線リソース制御ＲＲＣによって設定される、請求項１１に記載の端末機器。
【請求項１３】
前記基準時間領域の合計長さを決定するための合計長さ決定モジュールを更に含み、
前記第２決定モジュールは、特に、前記合計長さと前記第１開始時刻に基づいて、前記目標時間領域を決定することに用いられ、
前記合計長さ決定モジュールは、特に、前記合計長さを設定するための上位層シグナリングに基づいて前記合計長さを決定する方式、前記上り伝送取り消し指令の検出周期に基づいて前記合計長さを決定する方式、又は、第２所定値に基づいて前記合計長さを決定する方式のうちの１つに基づいて前記合計長さを決定することに用いられる、請求項９に記載の端末機器。
【請求項１４】
前記上り伝送取り消し指令は、上り伝送が取り消しになる時間領域リソースを指示するための目標開始時刻情報及び目標長さ情報を含み、
前記端末機器は、
前記第１開始時刻と前記目標開始時刻情報に基づいて、上り伝送が取り消しになる第２開始時刻を決定するための第２時刻決定モジュールと、
前記目標長さ情報に基づいて、上り伝送が取り消しになる目標長さを決定するための目標長さ決定モジュールと、
前記第２開始時刻から前記目標長さだけ経過した時間領域を前記目標時間領域に決定するための目標時間領域決定モジュールとを更に含む、請求項１３に記載の端末機器。
【請求項１５】
前記基準時間領域を区分するための上位層シグナリングに基づいて、前記基準時間領域を所定長さの複数のサブ領域に区分するためのサブ領域区分モジュールを更に含み、
前記所定長さは、１つの時間シンボル以上であり、前記目標開始時刻情報は、上り伝送が取り消しになる時間領域リソースに含まれるサブ領域のうちの開始サブ領域を指示するものであり、前記目標長さ情報は、上り伝送が取り消しになる時間領域リソースに含まれるサブ領域の数を指示するものである、請求項１４に記載の端末機器。
【国際調査報告】
2021519021.tif 000025
2021519021.tif 000026
2021519021.tif 000027
2021519021.tif 000028